(57)【要約】【課題】  光ファイバ心線に急峻な曲げを発生させずに容易に光配線でき、取扱性、作業性に優れた光スプリッタハウジングを提供する。【解決手段】  開示される光スプリッタハウジング１は、単心光ファイバ心線から入射した光信号を多心光ファイバ心線に分岐するとともに、多心光ファイバ心線から入射した光信号を単心光ファイバ心線に結合する光合分岐部を収容するものである。この光スプリッタハウジング１は、単心光ファイバ心線が通線される通線孔が形成された壁部と一体に形成され、通線孔と連通した開口部を有する単心側補強コード固定部１３と、光合分岐部が固定される床部１５ｂ、１６及び１７と、多心光ファイバ心線が固定される多心側補強コード固定部２０とを具備している。【選択図】  図１
2008003193.tif 000002
【特許請求の範囲】
【請求項１】
単心光ファイバ心線から入射した光信号を多心光ファイバ心線に分岐するとともに、前記多心光ファイバ心線から入射した光信号を前記単心光ファイバ心線に結合する光合分岐部を収容する光スプリッタハウジングであって、
前記単心光ファイバ心線が通線される通線孔が形成された壁部と一体に形成され、前記通線孔と連通した開口部を有する第１の固定部と、
前記光合分岐部が固定される第２の固定部と、
前記多心光ファイバ心線が固定される第３の固定部と
を具備することを特徴とする光スプリッタハウジング。
【請求項２】
単心光ファイバ心線から入射した光信号を多心光ファイバ心線に分岐するとともに、前記多心光ファイバ心線から入射した光信号を前記単心光ファイバ心線に結合する光合分岐部を収容する光スプリッタハウジングであって、
前記単心光ファイバ心線が通線される通線孔が形成された壁部と一体に形成され、前記通線孔と連通した開口部を有する第１の固定部と、
前記光合分岐部が固定される第２の固定部と、
前記多心光ファイバ心線を単心分離した複数本の単心光ファイバ心線がそれぞれ通線される複数のチューブが所定本ずつ配列され、固定される第３の固定部と
を具備することを特徴とする光スプリッタハウジング。
【請求項３】
前記第３の固定部は、階段状を呈しており、前記所定本のチューブがそれぞれ挿入されて固定される複数の開口部が各段部に形成されている
ことを特徴とする請求項２に記載の光スプリッタハウジング。
【請求項４】
前記第２の固定部は、前記光合分岐部が収容されたケースが固定されるように形成されていることを特徴とする請求項１乃至３のいずれかに記載の光スプリッタハウジング。
【請求項５】
請求項２乃至４のいずれかに記載の光スプリッタハウジングと、
前記通線孔に挿入され、前記単心光ファイバ心線が通線されるチューブと、前記チューブを覆う抗張力繊維と、前記抗張力繊維を覆うコードシース含む単心側補強コードと、
前記単心分離した複数本の単心光ファイバ心線がそれぞれ通線される前記複数のチューブと、前記複数のチューブを覆う抗張力繊維と、前記抗張力繊維を覆うコードシース含む多心側補強コードと、
前記単心光ファイバ心線が接合されるとともに、前記多心光ファイバ心線が接合された光合分岐部と
を具備することを特徴とする光スプリッタ。
【発明の詳細な説明】
【技術分野】
【０００１】
本発明は、単心光ファイバ心線から入射した光信号を多心光ファイバ心線に分岐するとともに、多心光ファイバ心線から入射した光信号を単心光ファイバ心線に結合する光合分岐部を収容する光スプリッタハウジング及びこの光スプリッタハウジングを備えた光スプリッタに関する。
【背景技術】
【０００２】
従来の光スプリッタモジュールには、石英系導波型光回路を光合分岐部に用いたものがある。石英系導波型光回路は、長さ方向の一端側にＶ溝基板を備えたファイバブロックを用いて単心光ファイバ心線が接続され、他端側にＶ溝基板を備えたファイバブロックを用いて多心テープ型光ファイバ心線が接続されている。多心テープ型光ファイバ心線は、単心光ファイバ心線を複数本平行に並べて一括被覆を施すことにより、テープ状に形成したものである。石英系導波型光回路及び２つのファイバブロックは、ケース内に収容されて保護されている。また、ケースの外側では、多心テープ型光ファイバ心線の被覆が剥がされて単心光ファイバ心線が露出している（例えば、特許文献１参照。）。以下、この技術を第１の従来例と呼ぶ。
【０００３】
また、従来の光スプリッタモジュールには、上記した構造に加えて、上記単心光ファイバ心線の根元部分に保護チューブが被せられているとともに、上記ケースの外側にある上記多心テープ型光ファイバ心線の被覆が根元部分を残して剥がされて露出した複数本の単心光ファイバ心線の全長に亘って、保護チューブがそれぞれ被せられたものもある（例えば、特許文献１参照。）。以下、この技術を第２の従来例と呼ぶ。
【０００４】
【特許文献１】特開２００２−２２１６３８号公報（［００２１］〜［００２３］，［００２９］，［００３８］，［００３９］、図１，図７）
【発明の開示】
【発明が解決しようとする課題】
【０００５】
上記した第１の従来例では、急峻な曲げが発生しやすい単心光ファイバ心線及び多心テープ型光ファイバ心線の根元部分の機械的強度が弱く、光配線時には、光スプリッタモジュールを慎重に取り扱う必要があり、取扱性、作業性が良好でないという課題があった。一方、上記した第２の従来例では、部分的に機械的強度が向上しているが、単心光ファイバ心線が露出している部分では機械的強度が依然として弱い。このため、保護チューブが被せられた部分と単心光ファイバ心線が露出している部分との境界に負荷が集中しやすく、これにより、この境界において単心光ファイバ心線の損傷又は断線等が発生するおそれがあった。
【０００６】
本発明は、上述した事情に鑑みてなされたものであり、上述のような課題を解決することができる光スプリッタハウジング及び光スプリッタを提供することを目的とする。
【課題を解決するための手段】
【０００７】
上記課題を解決するために、請求項１記載の発明に係る光スプリッタハウジングは、単心光ファイバ心線から入射した光信号を多心光ファイバ心線に分岐するとともに、前記多心光ファイバ心線から入射した光信号を前記単心光ファイバ心線に結合する光合分岐部を収容する光スプリッタハウジングに係り、前記単心光ファイバ心線が通線される通線孔が形成された壁部と一体に形成され、前記通線孔と連通した開口部を有する第１の固定部と、前記光合分岐部が固定される第２の固定部と、前記多心光ファイバ心線が固定される第３の固定部とを具備することを特徴としている。
【０００８】
また、請求項２記載の発明に係る光スプリッタハウジングは、単心光ファイバ心線から入射した光信号を多心光ファイバ心線に分岐するとともに、前記多心光ファイバ心線から入射した光信号を前記単心光ファイバ心線に結合する光合分岐部を収容する光スプリッタハウジングに係り、前記単心光ファイバ心線が通線される通線孔が形成された壁部と一体に形成され、前記通線孔と連通した開口部を有する第１の固定部と、前記光合分岐部が固定される第２の固定部と、前記多心光ファイバ心線を単心分離した複数本の単心光ファイバ心線がそれぞれ通線される複数のチューブが所定本ずつ配列され、固定される第３の固定部とを具備することを特徴としている。
【０００９】
また、請求項３記載の発明は、請求項２に記載の光スプリッタハウジングに係り、前記第３の固定部は、階段状を呈しており、前記所定本のチューブがそれぞれ挿入されて固定される複数の開口部が各段部に形成されていることを特徴としている。
また、請求項４記載の発明は、請求項１乃至３のいずれかに記載の光スプリッタハウジングに係り、前記第２の固定部は、前記光合分岐部が収容されたケースが固定されるように形成されていることを特徴としている。
【００１０】
また、請求項５記載の発明に係る光スプリッタは、請求項２乃至４のいずれかに記載の光スプリッタハウジングと、前記通線孔に挿入され、前記単心光ファイバ心線が通線されるチューブと、前記チューブを覆う抗張力繊維と、前記抗張力繊維を覆うコードシース含む単心側補強コードと、前記単心分離した複数本の単心光ファイバ心線がそれぞれ通線される前記複数のチューブと、前記複数のチューブを覆う抗張力繊維と、前記抗張力繊維を覆うコードシース含む多心側補強コードと、前記単心光ファイバ心線が接合されるとともに、前記多心光ファイバ心線が接合された光合分岐部とを具備することを特徴としている。
【発明の効果】
【００１１】
本発明によれば、光スプリッタモジュールの全長に亘って補強しているため、光ファイバ心線で露出している部分がなく、機械的強度が向上する。この結果、光ファイバ心線の損傷又は断線等が発生するおそれが少ない。また、光ファイバ心線に急峻な曲げを発生させることなく、容易に光配線をすることができる。従って、取扱性、作業性が向上する。
【発明を実施するための最良の形態】
【００１２】
図１は、本発明の実施の形態に係る光スプリッタハウジング１の外観構成を示す分解斜視図である。図２は、光スプリッタモジュール２の外観構成を示す平面図である。図３は、図１に示す光スプリッタハウジング１に図２に示す光スプリッタモジュール２を収容してなる光スプリッタにおいて光スプリッタハウジング１の上ケース１１を外した状態における外観構成を示す斜視図である。図４は、図１に示すＡの部分の拡大図である。図５は、図１に示す光スプリッタハウジング１を構成する多心側補強コード固定部２０の拡大図である。図６は、図５に示す多心側補強コード固定部２０のＡ−Ａ断面を含む斜視図である。
【００１３】
本発明の実施の形態に係る光スプリッタハウジング１は、下ケース１１と、上ケース１２とから概略構成されている。下ケース１１及び上ケース１２は、例えば、ＡＢＳ樹脂、ポリプロピレン、あるいはポリスチレン等の合成樹脂を原料として射出成形や押出成形により形成されている。また、下ケース１１及び上ケース１２は、いずれか一方又は両方をアルミニウム（Ａｌ）、ステンレス又は黄銅等の金属又は合金を用いて、プレス加工、ダイキャスト成形又は粉末冶金によるシェルモールドあるいは適当なブロックからの切削加工、鍛造、押し出し成形等によって形成しても良い。
【００１４】
下ケース１１の壁部１１ａの外側面１１ａａ略中央には、単心側補強コード固定部１３が下ケース１１と一体に形成されている。単心側補強コード固定部１３は、略円筒状を呈しており、その外周には、複数の溝１３ａが形成されている。単心側補強コード固定部１３の開口部１３ｂは、下ケース１１の壁部１１ａの内側面１１ａｂに穿設された通線孔１１ｂａと連通している。
【００１５】
下ケース１１の壁部１１ａの内側面１１ａｂに接した床部１５には、一対の壁部１４が通線孔１１ｂａを通る材軸に対して対称となるように形成されている。各壁部１４は、材軸と平行にそれぞれ形成された第１壁部１４ａと第２壁部１４ｂとを、材軸と直交して形成された第３壁部１４ｃを介して接続して構成されている。一対の壁部１４の第１壁部１４ａの各端部１４ａｂは、下ケース１１の内側面１１ｂに当接している。
【００１６】
各第１壁部１４ａ及び各第３壁部１４ｃで囲まれた床部１５ａは、各第２壁部１４ｂで囲まれた床部１５ｂと比較して、（１）その面積が広いとともに、（２）僅かに高く形成されている。まず、上記（１）の構成の理由は、光スプリッタモジュール２を構成する単心光ファイバ心線２１を通線孔１１ｂａから露出した、単心側補強コード３を構成するチューブ３１に通線（挿通）する際の作業性を考慮し、かつ、上記単心光ファイバ心線２１及び上記チューブ３１を床部１５ａ上に固定するための接着剤を充填するスペースを確保するためである。また、上記（２）の構成の理由は、上記単心光ファイバ心線２１の中心と上記チューブ３１の中心とを一致させることにより、単心光ファイバ心線２１が折れ曲がることなくチューブ３１内を通過させるためである。上記接着剤としては、例えば、エポキシ系接着剤がある。以下に示す接着剤も同様である。
第２壁部１４ｂと第２壁部１４ｂとの間隔は、光スプリッタモジュール２を構成するケース２２の幅より僅かに広く形成されており、この光スプリッタハウジング１の下ケース１１に光スプリッタモジュール２を収容する際の位置決めの役割を果たしている。
【００１７】
床部１５に連続する床部１６は、光スプリッタモジュール２が載置され、接着剤等により固定されるように構成されている。床部１６に連続する床部１７の略中央には、一対の壁部１８が通線孔１１ｂａを通る材軸に対して対称となるように形成されている。各壁部１８は、材軸と平行に形成された第１壁部１８ａと、対応する第１壁部１８ａとの接続部から下ケース１１の壁部１１ｃの内側面１１ａｃ及び壁部１１ｄの内側面１１ａｄに向かってそれぞれ斜めに延びて内側面１１ａｃ及び１１ａｄにそれぞれ当接する第２壁部１８ｂとから構成されている。
【００１８】
第１壁部１８ｂと第１壁部１８ｂとの間隔は、上記した第２壁部１４ｂと第２壁部１４ｂとの間隔と同様に、光スプリッタモジュール２を構成するケース２２の幅より僅かに広く形成されており、この光スプリッタハウジング１の下ケース１１に光スプリッタモジュール２を収容する際の位置決めの役割を果たしている。
【００１９】
また、第２壁部１８ｂと第２壁部１８ｂとの間隔が末広がりに広くなっているのは、光スプリッタモジュール２を構成する単心分離された複数の光ファイバ心線２３を多心側補強コード４を構成する複数のチューブ４１にそれぞれ通線（挿通）する際の作業性を考慮し、かつ、上記光コネクタ等を床部１７上に固定するための接着剤を充填するスペースを確保するためである。
【００２０】
床部１７に連続する床部１９には、各第１壁部１８ｂの各端部１８ｂａから所定距離隔てて、多心側補強コード固定部２０が形成されている。多心側補強コード固定部２０は、図５及び図６に示すように、一対の壁部１８に対向する側に下段部２０ａ、第１側面部２０ｂ、上段部２０ｃ及び第２側面部２０ｄがそれぞれ形成されているとともに、下ケース１１の開口部１１ｅに対向した側に段部２０ｅ及び側面部２０ｆがそれぞれ形成されている。
【００２１】
側面部２０ｆには、矩形状を呈する４つの開口部２０ｆａ〜２０ｆｄが上下左右に所定間隔を隔ててそれぞれ形成されている。開口部２０ｆａ及び２０ｆｂは、下段部２０ａと第１側面部２０ｂとの接続部分にそれぞれ形成された開口部２０ａａ及び２０ａｂとそれぞれ連通している。開口部２０ｆｃ及び２０ｆｄは、上段部２０ｃと第２側面部２０ｄとの接続部分にそれぞれ形成された開口部２０ｃａ及び２０ｃｂとそれぞれ連通している。
【００２２】
多心側補強コード固定部２０において、側面部２０ｆに形成されている各開口部２０ｆａ〜２０ｆｄの幅は、いずれも多心側補強コード４を構成するチューブ４１の直径の４倍よりやや広く形成されている。従って、各開口部２０ｆａ〜２０ｆｄには、それぞれ最大で４本のチューブ４１を並設することができる。つまり、本発明の実施の形態に係る光スプリッタハウジング１全体では、最大で１６本のチューブ４１を並設することができるので、分岐数が異なる各種の光スプリッタ（例えば、２分岐型、４分岐型、８分岐型、１６分岐型など）を備えた光スプリッタモジュールを収容することができ、汎用性が高い。
【００２３】
また、多心側補強コード固定部２０は、多心側補強コード４が収容された際に、多心側補強コード４を構成する複数のチューブ４１の各端部４１ａを予め決められた開口部２０ｆａ〜２０ｆｄのいずれかに挿入することにより、正しく整列させることができるとともに、複数のチューブ４１をまとめて仮固定することができる。
【００２４】
これにより、作業者は、光スプリッタモジュール２を構成する単心分離された複数の光ファイバ心線２３のどれを、多心側補強コード４を構成する複数のチューブ４１のどれとに通線（挿通）すべきか及び通線（挿通）されているかを一目で認識することができる。従って、本来通線（挿通）すべきでない光ファイバ心線を通線（挿通）する誤挿入を防止することができる。複数のチューブ４１がまとめて仮固定されているため、複数の光ファイバ心線２３が絡み合うことがなく、通線（挿通）作業をすることができるので、作業性が向上する。
【００２５】
その場合、第１側面部２０ｂの開口部２０ａａ及び２０ａｂのそれぞれの近傍、第２側面部２０ｄの開口部２０ｃａ及び２０ｃｂのそれぞれの近傍、側面部２０ｆの各開口部２０ｆａ〜２０ｆｄそれぞれの近傍に、各開口部に挿入すべき複数のチューブ４１を識別するために付けられた番号、記号又は色等を記しておいても良い。このように構成すれば、誤通線を確実に防止できるとともに、作業性がより向上する。また、上段部２０ｃの材軸方向の長さが下段部２０ａの材軸方向の長さより短く形成されているため、この構成によっても、上記した誤挿入を確実に防止できるとともに、作業性がより向上する。
【００２６】
下ケース１１の壁部１１ｆ及び１１ｇの各上端には、複数個（図１及び図３の例では、４個）の嵌合穴１１ｆａ及び１１ｇａが材軸方向に沿って所定間隔で形成されている。一方、上ケース１２の材軸方向の端部１２ａ及び１２ｂの各下部には、上記下ケース１１の壁部１１ｆ及び１１ｇの各上端に形成された複数個の嵌合穴１１ｆａ及び１１ｇａにそれぞれ嵌合する複数個の嵌合爪１２ｃが形成されている。なお、図１では、上ケース１２の端部１２ａ下部に形成された複数個の嵌合爪１２ｃだけを示している。また、上ケース１２の下端１２ｄ下部には、下ケース１１の開口部１１ｅに差し込まれる垂下部１２ｅが形成されている。垂下部１２ｅの長さは、下ケース１１の開口部１１ｅの高さよりもほぼ多心側補強コード４の厚さの分だけ短く形成されている。
【００２７】
次に、図２に示す光スプリッタモジュール２の構成について説明する。光スプリッタモジュール２は、８心分岐型であり、単心光ファイバ心線２１と、図７に示す光合分岐部２４が収容されたケース２２と、８心テープ型光ファイバ心線から単心分離された複数の光ファイバ心線２３とから概略構成されている。単心光ファイバ心線２１及び各光ファイバ心線２３は、例えば、直径が約０．２５ｍｍであり、石英ガラスやＰＭＭＡ（ポリメタクリル酸メチル）等のプラスチックからなり、光信号を伝送する。なお、単心光ファイバ心線２１及び各光ファイバ心線２３の伝搬モード数は、シングルモード又はマルチモードのいずれでも良い。
【００２８】
ケース２２は、例えば、アルミニウム（Ａｌ）等の板状金属を加工したものであり、そのサイズは、例えば、約４×４×４０ｍｍである。ケース２２には、図７に示す光合分岐部２４が収容されている。光合分岐部２４は、例えば、石英系導波型光回路からなり、光導波路２４ａ〜２４ｇ、２４ｄａ、２４ｄｂ、２４ｅａ、２４ｅｂ、２４ｆａ、２４ｆｂ、２４ｇａ及び２４ｇｂが形成されている。
【００２９】
光導波路２４ａの一端には、所定長さを有する単心光ファイバ心線２１が接合されている。光導波路２４ａの他端には、光導波路２４ｂの一端と光導波路２４ｃの一端とがそれぞれ接続されており、光導波路２４ａ〜２４ｃが略Ｙ字状を呈している。光導波路２４ｂの他端には、光導波路２４ｄの一端と光導波路２４ｅの一端とがそれぞれ接続されており、光導波路２４ｂ、２４ｄ及び２４ｅが略Ｙ字状を呈している。
【００３０】
光導波路２４ｃの他端には、光導波路２４ｆの一端と光導波路２４ｇの一端とがそれぞれ接続されており、光導波路２４ｃ、２４ｆ及び２４ｇが略Ｙ字状を呈している。光導波路２４ｄの他端には、光導波路２４ｄａの一端と光導波路２４ｄｂの一端とがそれぞれ接続されており、光導波路２４ｄ、２４ｄａ及び２４ｄｂが略Ｙ字状を呈している。光導波路２４ｅの他端には、光導波路２４ｅａの一端と光導波路２４ｅｂの一端とがそれぞれ接続されており、光導波路２４ｅ、２４ｅａ及び２４ｅｂが略Ｙ字状を呈している。
【００３１】
光導波路２４ｆの他端には、光導波路２４ｆａの一端と光導波路２４ｆｂの一端とがそれぞれ接続されており、光導波路２４ｆ、２４ｆａ及び２４ｆｂが略Ｙ字状を呈している。光導波路２４ｇの他端には、光導波路２４ｇａの一端と光導波路２４ｇｂの一端とがそれぞれ接続されており、光導波路２４ｇ、２４ｇａ及び２４ｇｂが略Ｙ字状を呈している。光導波路２４ｄａ、２４ｄｂ、２４ｅａ、２４ｅｂ、２４ｆａ、２４ｆｂ、２４ｇａ及び２４ｇｂの他端には、所定長さを有する光ファイバ心線２３がそれぞれ接合されている。光合分岐部２４では、単心光ファイバ心線２１から入射した光信号が各光導波路の分岐点を通過するごとに等分して分岐され、最終的に、８等分されて出射され、８本の光ファイバ心線２３に入射される。
【００３２】
次に、単心側補強コード３の概略構成について図８に示す断面図を参照して説明する。単心側補強コード３は、チューブ３１と、このチューブ３１を覆う抗張力繊維３２と、この抗張力繊維３２を覆うコードシース３３とから構成されている。チューブ３１は、例えば、外径約０．９ｍｍの円筒状を呈しており、ナイロン等の合成繊維、合成樹脂等からなる。抗張力繊維３２の材料としては、例えば、ピアノ線等の金属、ガラス、あるいはガラス、カーボン、ボロン等の繊維の複合体（ＦＲＰ）等を用いることができる。また、抗張力繊維３２の材料として、アラミド繊維あるいはＰＢＯ（ポリパラフェニレンベンゾビスオキサゾール）繊維のような有機繊維を用いることができる。有機繊維は可撓性に優れ、十分な強度を有している点で抗張力繊維３２の材料として適している。抗張力繊維３２は、その繊維中に合成樹脂等からなる充填材を充填させても良い。この場合には、繊維のばらけを防止することができる。コードシース３３は、例えば、外径が約２ｍｍの円筒状を呈しており、ポリ塩化ビニル（ＰＶＣ）等の合成樹脂からなる。これに対し、多心側補強コード４は、上記構成を有する単心側補強コード３が８本並列に並べられて構成されている。
【００３３】
次に、上記構成を有する光スプリッタの組み立て方法について図１〜図１２を参照して説明する。まず、所定長さの単心側補強コード３にゴムブーツ５、かしめ部品６１（図９参照）及びかしめリング６２（図１０参照）をそれぞれ装着した後、この単心側補強コード３を、その一端部から所定長さだけコードシース３３を剥がして抗張力繊維３２及びチューブ３１をそれぞれ露出させる。次に、図９に示すように、この単心側補強コード３の露出したチューブ３１を光スプリッタハウジング１の下ケース１１を構成する単心側補強コード固定部１３の開口部１３ｂに挿入し、図３に示すように、下ケース１１の内側面１１ｂに穿設された通線孔１１ｂａから突出させる。なお、図９では、下ケース１１は図示していない。
【００３４】
次に、図９に示すように、単心側補強コード固定部１３の外周にかしめ部品６１を遊嵌させた状態において、単心側補強コード固定部１３の外周とかしめ部品６１の内周との間隙に、単心側補強コード３の露出されほぐされた抗張力繊維３２を挟み込んだ後、かしめ部品６１を圧着することにより、抗張力繊維３２を単心側補強コード固定部１３の外周に固定する。
【００３５】
次に、図１０に示すように、圧着済みのかしめ部品６１ａの基部６１ｂ外周に単心側補強コード３の剥がされたコードシース３３を巻き付けた後、かしめリング６２を遊嵌させ、かしめリング６２を圧着することにより、コードシース３３を圧着済みのかしめ部品６１ａの基部６１ａａ外周に固定する。最後に、圧着済みのかしめ部品６１ａの外周及び圧着済みのかしめリング６２の外周にゴムブーツ５を被せる。
【００３６】
一方、所定長さの多心側補強コード４を、その一端部から所定長さだけコードシース４３及び抗張力繊維４２を剥がして８本のチューブ４１を露出させる。次に、この多心側補強コード４の露出した８本のチューブ４１を、光スプリッタハウジング１の下ケース１１を構成する多心側補強コード固定部２０の２つの開口部２０ｆａ及び２０ｆｂに、４本ずつ挿入し、図９及び図１０に示すように、開口部２０ａａ及び２０ａｂからそれぞれ突出させる。
【００３７】
次に、光スプリッタハウジング１の下ケース１１の第２壁部１４ｂと第２壁部１４ｂとの間、床部１６及び第１壁部１８ｂと第１壁部１８ｂとの間に、光スプリッタモジュール２を収容しつつ、光スプリッタモジュール２を構成する単心光ファイバ心線２１の端部を、通線孔１１ｂａから露出した、単心側補強コード３を構成するチューブ３１に通線（挿通）し、単心側補強コード３の他端部（図示略）から単心光ファイバ心線２１の端部を突出させる。同様に、図９及び図１０に示すように、光スプリッタモジュール２を構成する単心分離された８本の光ファイバ心線２３を、多心側補強コード固定部２０の２つの開口部２０ｆａ及び２０ｆｂから突出した、多心側補強コード４を構成する８本のチューブ４１にそれぞれ通線（挿通）し、多心側補強コード４の他端部（図示略）から８本の光ファイバ心線２３の端部をそれぞれ突出させる。
【００３８】
次に、各第１壁部１４ａ及び各第３壁部１４ｃで囲まれた床部１５ａにエポキシ系接着剤等の接着剤を充填することにより、上記単心光ファイバ心線２１及び上記チューブ３１を上記床部１５ａに固定する。同様に、床部１６にエポキシ系接着剤等の接着剤を充填することにより、上記光スプリッタモジュール２を上記床部１６に固定する。
【００３９】
第２壁部１８ｂと第２壁部１８ｂとで囲まれた床部１７にエポキシ系接着剤等の接着剤を充填することにより、上記単心分離された８本の光ファイバ心線２３及び８本のチューブ４１を上記床部１７にそれぞれ固定する。また、多心側補強コード固定部２０から開口部１１ｅまでの床部１９にエポキシ系接着剤等の接着剤を充填することにより、上記多心側補強コード４を構成する８本のチューブ４１、抗張力繊維４２及びコードシース４３を上記床部１９にそれぞれ固定する。
【００４０】
次に、上ケース１２の端部１２ａ及び１２ｂのそれぞれの下部に形成された複数個の嵌合爪１２ｃを、下ケース１１の壁部１１ｆ及び１１ｇの各上端に形成されている複数個の嵌合穴１１ｆａ及び１１ｇａに嵌合させる。そして、上記単心側補強コード３の他端部（図示略）から突出した単心光ファイバ心線２１の端部に光コネクタ（図示略）を装着し、敷設されている単心光ファイバケーブルの一端部（図示略）に装着されている光コネクタに嵌合させる。一方、上記多心側補強コード４の他端部（図示略）からそれぞれ突出した８本の光ファイバ心線２３の端部に光コネクタ（図示略）を装着し、敷設されている８本の単心光ファイバケーブルの各一端部（いずれも図示略）に装着されている光コネクタに嵌合させる。
【００４１】
このように、本発明の実施の形態によれば、単心光ファイバ心線２１及び単心分離された８本の光ファイバ心線２３を含めた光スプリッタモジュール２の全長に亘って補強しているため、単心光ファイバ心線２１及び８本の光ファイバ心線２３で露出している部分がなく、機械的強度が向上する。この結果、単心光ファイバ心線２１及び８本の光ファイバ心線２３の損傷又は断線等が発生するおそれが少ない。また、本発明の実施の形態によれば、単心側補強コード３の一端部にゴムブーツ５を取り付けているので、単心光ファイバ心線２１に急峻な曲げを発生させることなく、容易に光配線をすることができる。従って、取扱性、作業性が向上する。
【００４２】
なお、単心光ファイバ心線及び単心分離された複数の光ファイバ心線を含めた光スプリッタモジュールの全長に亘って補強する場合、光スプリッタモジュールの製造時に光スプリッタモジュールの全長に亘ってチューブを被せたり、コード化することが考えられる。しかし、そのような特別な加工を施した光スプリッタモジュールを製造すると、コストがかかってしまう。また、光スプリッタモジュールは、通常、一旦設置しても、何らかの理由により取り外す場合があるが、このような場合、上記構成だけでは、例えば、引っ張り、圧縮、衝撃等に対する機械的強度が不十分であり、取扱性、作業性は良好とはいえない。
【００４３】
これに対し、本発明の実施の形態によれば、市販されている、上記特別な加工を施していない一般的な光スプリッタモジュールであっても、使用用途に応じて後加工を施すことにより、単心光ファイバ心線及び単心分離された複数の光ファイバ心線を含めた光スプリッタモジュールの全長に亘って補強することができるので、コストの点、汎用性の点、省スペース化の点で優れているといえる。また、光スプリッタモジュールを設置する現場の状況に応じて柔軟な光配線をすることができるという利点がある。
【００４４】
また、本発明の実施の形態によれば、光スプリッタハウジング１内部には余分な光ファイバ心線（以下、「余長部分」という。）を収容する必要がないので、光スプリッタハウジング１を小型に構成することができる。また、本発明の実施の形態によれば、敷設されている単心光ファイバケーブルと光スプリッタモジュール２を構成する単心光ファイバ心線２１及び８本の光ファイバ心線２３とは、光コネクタを介して接続されるので、損失が少ない。
【００４５】
以下、その理由を説明する。即ち、通常、光スプリッタモジュールを構成する単心光ファイバ心線及び複数の光ファイバ心線は、一端部に光コネクタが装着された単心光ファイバ心線の他端部とをそれぞれ融着接続した後、融着接続部、光スプリッタモジュールを構成するケース及び融着接続時に発生した単心光ファイバ心線の余長部分を束ねて略矩形状の収容箱に収容して保護している。この場合、余長部分を直径３０ｍｍ又は直径６０ｍｍ以下に束ねてしまうと、曲げ損失が生じてしまうため、収容箱のサイズを大きくする必要がある。これに対し、本発明の実施の形態によれば、上記構成を有することにより、上記した理由により、光スプリッタハウジング１を小型に構成することができるのである。
【００４６】
以上、本発明の実施の形態について図面を参照して詳述してきたが、具体的な構成はこの実施の形態に限られるものではなく、本発明の要旨を逸脱しない範囲の設計の変更等があっても本発明に含まれる。
例えば、上述した実施の形態では、各第１壁部１４ａ及び各第３壁部１４ｃで囲まれた床部１５ａにエポキシ系接着剤等の接着剤を充填することにより、上記単心光ファイバ心線２１及び上記チューブ３１を上記床部１５ａに固定する例を示したが、これに限定されない。例えば、光スプリッタモジュール２を下ケース１１に収容した後、下ケース１１の床部１５〜１７にエポキシ系接着剤等の接着剤を充填することにより、光スプリッタモジュール２全体を下ケース１１に固定するようにしても良い。
【００４７】
また、上述した実施の形態では、上ケース１２に形成された嵌合爪１２ａを下ケース１１に形成された対応する嵌合穴１１ｆａ及び１１ｇａにそれぞれ嵌合させることにより接合する例を示したが、これに限定されない。上ケース１２と下ケース１１とは、ネジ、接着剤、いわゆる面ファスナー等の接合部材を用いて接合したり、融着処理により接合しても良い。
【００４８】
また、上述した実施の形態では、多心側補強コード４が単心分離された８本の光ファイバ心線２３が挿入可能に構成されている例を示したが、これに限定されず、光スプリッタモジュール２の分岐数に合わせて、並列に又は積層して配置することにより、様々な分岐数に対応することができる。また、用途によって、多心側補強コード４及びチューブ４１のそれぞれのサイズを変更することにより、テープ型光ファイバ心線を単心分離することとなく通線して、コード化するなど、様々な形態で光スプリッタモジュール２の全長に亘って補強することができる。
【００４９】
コード化の具体例としては、以下のものがある。まず、多心側補強コードとして、８心テープ型光ファイバ心線が挿入可能な角型状を呈するチューブと、このチューブを覆う抗張力繊維と、この抗張力繊維を覆うコードシースとから構成されたものを用意する。一方、下ケース１１の多心側補強コード固定部も、この多心側補強コードが固定可能な形状とする。そして、下ケース１１の多心側補強コード固定部に上記多心側補強コードを固定した後、８心テープ型光ファイバ心線の一端部をそのまま通線する。また、８心テープ型光ファイバ心線の他端部は、８心ファンアウトコードと融着接続することにより、各光ファイバ心線が接続される機器の直前で８心テープ型光ファイバ心線を単心分離することができる。
【００５０】
また、上述の実施の形態では、単心側補強コード３及び多心側補強コード４を用いる例を示したが、これに限定されない。例えば、上記光スプリッタが一旦設置すればほとんど取り外すことがない箇所に設置する場合には、単心側補強コード３又は多心側補強コード４のいずれか又は両方に換えて、上記第２の従来例のような保護チューブだけを用いても良い。
【００５１】
また、上述の実施の形態では、単心光ファイバ心線２１及び複数の光ファイバ心線２３がそれぞれ接合された光合分岐部２４がケース２２に収容されてなる光スプリッタモジュール２を光スプリッタハウジング３に収容する例を示したが、これに限定されず、単心光ファイバ心線２１及び複数の光ファイバ心線２３がそれぞれ接合された光合分岐部２４を直接光スプリッタハウジング３に収容しても良い。
【図面の簡単な説明】
【００５２】
【図１】本発明の実施の形態に係る光スプリッタハウジングの外観構成を示す分解斜視図である。
【図２】光スプリッタモジュールの外観構成を示す平面図である。
【図３】本発明の実施の形態に係る光スプリッタにおいて光スプリッタハウジングの上ケースを外した状態における外観構成を示す斜視図である。
【図４】図１に示すＡの部分の拡大図である。
【図５】図１に示す光スプリッタハウジングを構成する多心側補強コード固定部の拡大図である。
【図６】図５に示す多心側補強コード固定部のＡ−Ａ断面を含む斜視図である。
【図７】光合分岐部の構成の一例を示す概念図である。
【図８】単心側補強コードの概略構成を示す断面図である。
【図９】図４に示す単心側補強コード固定部に単心側補強コードを固定する方法を説明するための概略図である。
【図１０】図４に示す単心側補強コード固定部に単心側補強コードを固定する方法を説明するための概略図である。
【図１１】図３に示すＢの部分の拡大斜視図である。
【図１２】図３に示すＢの部分の図１１とは異なる角度から見た拡大斜視図である。
【符号の説明】
【００５３】
１  光スプリッタハウジング
２  光スプリッタモジュール
３  単心側補強コード
４  多心側補強コード
５  ゴムブーツ
１１  下ケース
１１ａ，１１ｂ，１１ｃ  壁部
１１ａａ  外側面
１１ａｂ，１１ａｃ，１１ａｄ  内側面
１１ｂａ  通線孔  
１１ｅ，１３ｂ，２０ａａ，２０ａｂ，２０ｃａ，２０ｃｂ，２０ｆａ〜２０ｆｄ  開口部
１１ｆ，１１ｇ，１４，１８  壁部
１１ｆａ，１１ｇａ  嵌合穴
１２  上ケース
１２ａ，１２ｂ  端部
１２ｃ  嵌合爪
１２ｄ  下端
１２ｅ  垂下部
１３  単心側補強コード固定部（第１の固定部）
１３ａ  溝
１４ａ，１８ａ  第１壁部
１４ａｂ，４３ａ  端部
１４ｂ，１８ｂ  第２壁部
１４ｃ  第３壁部
１５，１５ａ，１９  床部
１５ｂ，１６，１７  床部（第２の固定部）
２０  多心側補強コード固定部（第３の固定部）
２０ａ  下段部
２０ｂ  第１側面部
２０ｃ  上段部
２０ｄ  第２側面部
２０ｅ  段部
２０ｆ  側面部
２１  単心光ファイバ心線
２２  ケース
２３  光ファイバ心線
２４  光合分岐部
２４ａ〜２４ｇ，２４ｄａ，２４ｄｂ，２４ｅａ，２４ｅｂ，２４ｆａ，２４ｆｂ，２４ｇａ，２４ｇｂ  光導波路
３１，４１  チューブ
３２，４２  抗張力繊維
３３  コードシース
５１  円筒部
６１  かしめ部品
６１ａ  圧着済みのかしめリング
６２  かしめリング
【図１】
2008003193.tif 000003
【図２】
2008003193.tif 000004
【図３】
2008003193.tif 000005
【図４】
2008003193.tif 000006
【図５】
2008003193.tif 000007
【図６】
2008003193.tif 000008
【図７】
2008003193.tif 000009
【図８】
2008003193.tif 000010
【図９】
2008003193.tif 000011
【図１０】
2008003193.tif 000012
【図１１】
2008003193.tif 000013
【図１２】
2008003193.tif 000014